(57)【特許請求の範囲】
【請求項１】
アルミニウム、タンタルなどの弁作用を有する金属箔からなる陽極部材の表面に、誘電性酸化皮膜、固体電解質皮膜からなる陰極部材を形成した単体の固体電解コンデンサを、陽極部材間に導電性のスペーサを介在して複数積み重ねてなる積層型固体電解コンデンサの製造方法において、
長尺体から導電性のスペーサを所定長に切断し、
キャリアバー上に保持された単体の固体電解コンデンサの陽極部材にスペーサを電気溶接で固着し、
キャリアバー上の単体の固体電解コンデンサの陰極部材に導電性の接着剤を付着し、
キャリアバーから単体の固体電解コンデンサを切断してインデックステーブルで吸着、保持し、
スペーサを介して陽極部材をリードフレームに電気溶接することにより、インデックステーブル上の単体の固体電解コンデンサをリードフレームに積み重ね、インデックステーブルの間欠送りのもとで、インデックステーブルからリードフレームへの単体の固体電解コンデンサの溶接、積み重ねを同一基準面、同一条件で繰り返して、積層型固体電解コンデンサをリードフレーム上に成形することを特徴とする積層型固体電解コンデンサの製造方法。
【請求項２】
アルミニウム、タンタルなどの弁作用を有する金属箔からなる陽極部材の表面に、誘電性酸化皮膜、固体電解質皮膜からなる陰極部材を形成した単体の固体電解コンデンサを、陽極部材間に導電性のスペーサを介在して複数積み重ねてなる積層型固体電解コンデンサの製造方法において、
陽極部材を介して多数の単体の固体電解コンデンサを保持するキャリアバーを供給する工程と、
長尺体から導電性のスペーサを所定長に切断し、キャリアバー上の単体の固体電解コンデンサの陽極部材にスペーサを電気溶接で固着する工程と、
キャリアバー上の単体の固体電解コンデンサの陰極部材に導電性の接着剤を付着する工程と、
キャリアバーから単体の固体電解コンデンサを切断する工程と、
キャリアバーから切断された単体の固体電解コンデンサを、間欠送りされるインデックステーブルで吸着、保持する工程と、
リードフレームを供給する工程と、
スペーサを介して陽極部材をリードフレームに電気溶接することにより、インデックステーブル上の単体の固体電解コンデンサをリードフレームに積み重ね、インデックステーブルの間欠送りのもとで、インデックステーブルからリードフレームへの単体の固体電解コンデンサの溶接、積み重ねを同一基準面、同一条件で繰り返して、積層型固体電解コンデンサをリードフレーム上に成形する積み重ね工程と
を備えたことを特徴とする積層型固体電解コンデンサの製造方法。
【請求項３】
陽極部材をリードフレームに電気溶接するためにインデックステーブルを挟んで配置された一対の溶接電極、インデックステーブル、リードフレーム搬送用のガイドレールの相対位置を、積み重ねられる単体コンデンサの数に応じて調整している請求項１または２記載の積層型固体電解コンデンサの製造方法。
【請求項４】
キャリアバーの搬送路とリードフレームの搬送路とはインデックステーブルの接線方向でインデックステーブルを挟んで平行に設けられている請求項１〜３のいずれか記載の積層型固体電解コンデンサの製造方法。
【請求項５】
リードフレーム上に成形された積層型固体電解コンデンサを押圧して整形する整形工程をさらに備えている請求項２〜４のいずれか記載の積層型固体電解コンデンサの製造方法。
【請求項６】
単体の固体電解コンデンサの積み重ね工程での電気溶接の異常を記憶し、その情報に基づいてリードフレーム上の積層型固体電解コンデンサをリードフレームから排除する不良品排除工程をさらに備えている請求項２〜５のいずれか記載の積層型固体電解コンデンサの製造方法。
【請求項７】
単体の固体電解コンデンサの積み重ね工程において、リードフレームの上下面に単体の固体電解コンデンサを積み重ねるためにリードフレームは反転され、リードフレームの反転位置が、単体の固体電解コンデンサを積み重ねる位置の両側に設けられている請求項２〜６のいずれか記載の積層型固体電解コンデンサの製造方法。
【請求項８】
キャリアバーからの単体の固体電解コンデンサの切断工程は、キャリアバーから単体の固体電解コンデンサを所定長より長く切断する一次切断と、所定長に切断する二次切断とに分割され、一次切断のみがキャリアバーの搬送路に沿った位置で行なわれる請求項３または４記載の積層型固体電解コンデンサの製造方法。
【請求項９】
単体の固体電解コンデンサの切断工程で二次切断は、位置決め手段を単体の固体電解コンデンサに押し当て、切断位置から所定長に対応する距離だけ離反した位置に位置決め手段を移動させ、単体の固体電解コンデンサを位置決めして行なわれる請求項８記載の積層型固体電解コンデンサの製造方法。
【請求項１０】
アルミニウム、タンタルなどの弁作用を有する金属箔からなる陽極部材の表面に、誘電性酸化皮膜、固体電解質皮膜からなる陰極部材を形成した単体の固体電解コンデンサを、陽極部材間に導電性のスペーサを介在して複数積み重ねてなる積層型固体電解コンデンサの製造装置において、
陽極部材を介して多数の単体の固体電解コンデンサを保持するキャリアバーを供給する手段と、
長尺体から導電性のスペーサを所定長に切断し、キャリアバー上の単体の固体電解コンデンサの陽極部材にスペーサを電気溶接で溶接する手段と、
キャリアバー上の単体の固体電解コンデンサの陰極部材に導電性の接着剤を付着する手段と、キャリアバーから単体の固体電解コンデンサを切断する手段と、
キャリアバーから切断された単体の固体電解コンデンサを吸着、保持して間欠送りされるインデックステーブルと、リードフレームを供給する手段と、
スペーサを介して陽極部材をリードフレームに電気溶接することにより、インデックステーブル上の単体の固体電解コンデンサをリードフレームに積み重ね、インデックステーブルの間欠送りのもとで、インデックステーブルからリードフレームへの単体の固体電解コンデンサの溶接、積み重ねを同一基準面、同一条件で繰り返して、積層型固体電解コンデンサをリードフレーム上に成形する積み重ね手段と
を備えたことを特徴とする積層型固体電解コンデンサの製造装置。
【請求項１１】
積み重ね手段は、陽極部材をリードフレームに電気溶接するためにインデックステーブルを挟んで配置された一対の溶接電極を備え、一対の溶接電極、インデックステーブル、リードフレーム搬送用のガイドレールの相対位置を、積み重ねられる単体コンデンサの数に応じて調整して、同一基準面、同一条件での溶接、積み重ねを確保している請求項１０記載の積層型固体電解コンデンサの製造装置。
【請求項１２】
キャリアバーの搬送路とリードフレームの搬送路とはインデックステーブルの接線方向でインデックステーブルを挟んで平行に設けられ、
キャリアバーの供給手段、スペーサの溶接手段、導電性接着剤の付着手段、単体の固体電解コンデンサ切断手段は、キャリアバーの搬送路に沿って配置され、
リードフレームの供給手段、単体の固体電解コンデンサ積層手段は、リードフレームの搬送路に沿って配置されている請求項１０または１１記載の積層型固体電解コンデンサの製造装置。
【請求項１３】
リードフレーム上に成形された積層型固体電解コンデンサを押圧して整形する整形手段をさらに備え、この整形手段はリードフレームの搬送路に沿って配置されている請求項１０〜１２のいずれか記載の積層型固体電解コンデンサの製造装置。
【請求項１４】
積層手段での電気溶接の異常を記憶し、その情報に基づいてリードフレーム上の積層型固体電解コンデンサをリードフレームから排除する不良品排除手段をさらに備え、この不良品排除手段はリードフレームの搬送路に沿って配置されている請求項１０〜１３のいずれか記載の積層型固体電解コンデンサの製造装置。
【請求項１５】
積み重ね手段による固体電解コンデンサの積み重ねにおいて、リードフレームの上下面に単体の固体電解コンデンサを積み重ねるためにリードフレームは反転され、リードフレームの反転位置が、リードフレームの搬送路に沿って単体の固体電解コンデンサ積層位置の両側に設けられている請求項１０〜１４のいずれか記載の積層型固体電解コンデンサの製造装置。
【請求項１６】
キャリアバーからの単体の固体電解コンデンサの切断手段は、キャリアバーから単体の固体電解コンデンサを所定長より長く切断する一次切断手段と、所定長に切断する二次切断手段とを備え、一次切断手段のみがキャリアバーの搬送路に沿って配置されている請求項１０〜１５のいずれか記載の積層型固体電解コンデンサの製造装置。
【請求項１７】
二次切断手段は、単体の固体電解コンデンサに押し当てられ切断位置から所定長に対応する距離だけ離反した位置に移動して単体の固体電解コンデンサを位置決めする位置決め手段を有している請求項１６記載の積層型固体電解コンデンサの製造装置。
【発明の詳細な説明】
【０００１】
【発明の属する技術分野】
この発明は、単体の固体電解コンデンサを複数積み重ねてなる積層型固体電解コンデンサの製造方法、製造装置および単体の固体電解コンデンサにスペ−サを電気溶接するスペ−サ溶接機に関する。
【０００２】
【従来の技術】
アルミニウム、タンタルなどの弁作用を有する金属箔からなる陽極部材の表面に、誘電性酸化皮膜、固体電解質皮膜からなる陰極部材を形成した単体の固体電解コンデンサ（以下、「単体コンデンサ」と適宜表示する）を、高容量化のために複数積み重ねた積層型固体電解コンデンサ（以下、「積層コンデンサ」と適宜表示する）が知られている。
【０００３】
積層コンデンサでは、単体コンデンサの陽極部材どうし、陰極部材どうしを重ね、銀ペ−ストのような導電性の接着剤で陰極部材を固着するとともに、抵抗溶接などの電気溶接で陽極部材を溶接、固着して、単体コンデンサを複数積み重ねている。
【０００４】
単体コンデンサにおいて、誘電性酸化皮膜、固体電解質皮膜からなる陰極部材は、弁作用を有する金属箔からなる陽極部材に比較して厚く、陰極部材、陽極部材の厚さに差異があるため、陰極部材、陽極部材間に段差が生じる。そして、積層する単体コンデンサの数に比例して陰極部材、陽極部材間の段差が増加する。
【０００５】
陽極部材の固着は、陽極部材どうしを密着してから電気溶接されており、密着のために、陽極部材を折り曲げている。しかし、陽極部材を折り曲げると、金属箔からなる陽極部材に応力集中が生じて、コンデンサ特性が低下する。
【０００６】
このように、陰極部材、陽極部材の厚さの違いからそれらの間に段差が生じ、密着、溶接のために陽極部材の折り曲げが避けられず、積み重ねる単体コンデンサの数に比例して陰極部材、陽極部材間の段差が増し、陽極部材の折り曲げ角度が大きくなる。そのため、高容量のために、積み重ねる単体コンデンサの数を増やすと、コンデンサ特性が低下するジレンマがある。
【０００７】
コンデンサ特性の低下を防止しながら高容量化を図るために、例えば以下のような積層コンデンサが提案されている。
（１）陽極部材の数に等しく、陽極部材の高さレベルに対応した段差付の陽極端子片をリ−ドフレ−ムに形成したもの（特開平０４−１６７４１７号公報）。
（２）陽極部材間に導電性スペ−サを挟むことにより、陰極部材、陽極部材間の段差をなくし陽極部材の折り曲げを不要とするもの（特開平０５−２０５９８４号公報）。
【０００８】
（３）陽極部材間に絶縁性樹脂のスペ−サを挟んで陰極部材、陽極部材間の段差をなくし、陽極部材から金属細線を伸ばし、金属細線を電気端子で接続するもの（特開平０６−０２９１６３号公報）。
（４）陽極部材、陰極部材を絶縁性樹脂で覆って陰極部材、陽極部材間の段差を絶縁性樹脂で埋め、陽極部材どうしを導電層で接続し、導電層から陽極端子を伸ばして絶縁性樹脂、導電層を外装用絶縁樹脂でさらに覆ったもの（特開平０６−０８４７１６号公報）。
（５）陰極部材基部よりも陰極部材端部が厚くなる形状の単体コンデンサを、陽極部材から陰極部材に向かって末広がりになるように積み重ねるとともに、リ−ドフレ−ムの上面及び下面に単体コンデンサを積み重ねたもの（特開２０００−０６８１５８号公報、特開２００１−２３０１５６号公報）
【０００９】
（１）では陽極端子を段差付形状とすることにより、（２）〜（４）では金属性スペ−サまたは絶縁性樹脂で、陰極部材、陽極部材間の段差を埋めることにより、陽極部材の折り曲げを理論上不要としている。
（５）では末広がりに積層するとともに、リ−ドフレ−ムの上面及び下面に分散して配置することにより、陰極部材、陽極部材間の段差を少なくして陽極部材の折り曲げ角度を小さくしている。
【００１０】
【発明が解決しようとする課題】
（１）〜（５）のいずれにおいても、コンデンサ特性の低下を防止しながら高容量の積層コンデンサが得られる。しかし、その生産性を考慮すると、いずれの積層コンデンサにおいても改良すべき点がある。たとえば、（１）ではリ−ドフレ−ムの成形が複雑化し、（２）〜（４）ではスペ−サの装着や陽極部材と電気端子との接続のために工程が複雑化する。（５）では単体コンデンサが末広がりに重ねられているため、固着のために加圧すると、単体コンデンサが位置ずれを生じやすい。
【００１１】
本件発明者は、上記（１）〜（５）を含む公知の積層コンデンサについて鋭意研究した結果、（２）の積層コンデンサ（特開平０５−２０５９８４号公報）が構造的に優れているとの結論を得た。しかしながら、特開平０５−２０５９８４号公報に開示する積層コンデンサの具体的な製造方法、およびそのための製造装置は知られていない。また、単体の固体電解コンデンサにスペ−サを電気溶接する具体的なスペ−サ溶接機も知られていない。
【００１２】
この発明の第１の目的は、コンデンサ特性の低下を防止しながら高容量の積層型固体電解コンデンサを効率よく製造する方法を提供することにある。
また、この発明の第２の目的は、コンデンサ特性の低下を防止しながら高容量の積層型固体電解コンデンサを効率よく製造する装置を提供することにある。
この発明の第３の目的は、コンデンサ特性の低下を防止しながら高容量の積層型固体電解コンデンサを製造するために、陽極部材に導電性スペ−サ−を効率よく装着、溶接するスペ−サ溶接機を提供することにある。
【００１３】
【課題を解決する手段】
第１の目的を達成するために、この発明の積層型固体電解コンデンサの製造方法では、長尺体から導電性のスペ−サを所定長に切断し、キャリアバ−上の単体コンデンサの陽極部材にスペ−サを電気溶接で固着し、陰極部材に導電性接着剤を付着し、キャリアバ−から単体コンデンサを切断してから、インデックステ−ブルで単体コンデンサを保持し、インデックステ−ブルを間欠送りして、インデックステ−ブル上の単体コンデンサをリ−ドフレ−ムに溶接、積み重ね、単体コンデンサの溶接、積み重ねを同一基準面、同一条件で繰り返して積層型固体電解コンデンサを成形している。
【００１４】
第２の目的を達成するために、この発明の積層型固体電解コンデンサの製造装置では、長尺体から導電性のスペ−サを所定長に切断する手段と、キャリアバ−上の単体コンデンサの陽極部材にスペ−サを電気溶接で溶接、固着する手段と、キャリアバ−上の単体コンデンサの陽極部材に導電性接着剤を付着する手段と、キャリアバ−から単体コンデンサを切断する手段と、キャリアバ−から切断された単体コンデンサを保持して間欠送りするインデックステ−ブルと、インデックステ−ブル上の単体コンデンサをリ−ドフレ−ムに溶接、積み重ね、単体コンデンサの溶接、積み重ねを同一基準面、同一条件で繰り返してリ−ドフレ−ムに単体コンデンサを積み重ねる手段とを備えて構成されている。
【００１５】
第３の目的を達成するために、この発明の単体コンデンサのスペ−サ溶接機では、長尺体から切断されたスペ−サをその端面に保持して間欠回転するとともに、溶接電極を兼ねるロ−タリ−テ−ブルと、ロ−タリ−テ−ブルと端面どうしを対向して配置されロ−タリ−テ−ブルと同期して間欠回転することにより溶接電極を兼ねるロ−タリ−テ−ブルとの間で単体コンデンサの陽極部材にロ−タリ−テ−ブル上のスペ−サを電気溶接させる円板状の溶接電極とを備えて構成されている。
【００１６】
【発明の実施の形態】
以下、図面を参照しながらこの発明の実施の形態について詳細に説明する。
【００１７】
この発明の積層型固体電解コンデンサの製造装置１０の概略を図１に示す。コンデンサ製造装置１０は、水平に配置されたインデックステ−ブル（ロ−タリ−テ−ブル）１２を備え、キャリアバ−の搬送路１４とリ−ドフレ−ムの搬送路１６とがインデックステ−ブル１２の接線方向でインデックステ−ブルを挟んで平行に設けられている。
【００１８】
図２（Ａ）に示すように、単体コンデンサ（単体の固体電解コンデンサ）２０は、その陽極部材２２をキャリアバ−１３に固着することによってキャリアバ−に保持されており、たとえば、３０枚の単体コンデンサがキャリアバ−に保持される。そして、所定の処理の施された単体コンデンサ２０をリ−ドフレ−ム１５に所定数積み重ねて、積層コンデンサ（積層固体電解コンデンサ）２１がリ−ドフレ−ム上に成形される（図２（Ｂ）参照）。
【００１９】
キャリアバ−１３のためのガイドレ−ル（図示しない）がキャリアバ−の搬送路１４に沿って伸びており、単体コンデンサ２０を保持するキャリアバ−はガイドレ−ル上を左から右に送られ、キャリアバ−の供給手段３０、スペ−サの溶接手段（スペ−サ溶接機）３４、導電性接着剤の付着手段３６、単体コンデンサの切断手段３８、キャリアバ−の格納手段３９が左から順にキャリアバ−の搬送路１４に沿って配置されている。また、スペ−サの切断手段３２がスペ−サの溶接手段３４に隣接して配置されている。
【００２０】
実施例では、単体コンデンサの切断は、キャリアバ−１３から単体コンデンサ２０を切断する一次切断と、単体コンデンサ２０を所定長に切断する二次切断とに分割して行なわれ、切断手段３８は一次切断手段３８−１と二次切断手段３８−２とから構成されている。そして、一次切断手段３８−１はキャリアバ−の搬送路１４に沿って配置され、二次切断手段３８−２はキャリアバ−の搬送路から離反した位置に配置されている。
【００２１】
また、リ−ドフレ−ム１５のためのガイドレ−ル（図示しない）がリ−ドフレ−ムの搬送路１６に沿って伸びており、リ−ドフレ−ム１５は搬送路を右から左に送られ、リ−ドフレ−ムの供給手段４０、単体コンデンサを積み重ねる手段（積層手段）４２、整形手段４４、不良品排出手段４６、リ−ドフレ−ムの格納手段４８が右から順にリ−ドフレ−ムの搬送路に沿って配置されている。
インデックステ−ブル１２、スペ−サの溶接手段（スペ−サ溶接機）３４などの動作や、搬送路１４、１６でのキャリアバ−１３、リ−ドフレ−ム１５の送りなどはＣＰＵ（図示しない）によって制御されており、ＣＰＵのプログラム変更によって動作、送りなどが任意に設定できることはいうまでもない。
【００２２】
単体コンデンサ２０は公知のものであり、図３に示すように、たとえば、アルミニウム、タンタルなどの弁作用を有する金属箔２１の表面に誘電性酸化皮膜２４を被覆して陽極部材２２とし、誘電性酸化皮膜の表面に、導電性高分子層（固体電解質層）２６、カ−ボンペ−スト層（導電体層）２７、銀ペ−スト層（導電体層）２８からなる陰極部材２９を形成して構成されている。そして、図３に加えて図２（Ａ）を見るとよくわかるように、陽極部材２２をキャリアバ−１３に固着して、単体コンデンサ２０がキャリアバ−１３に保持されている。
【００２３】
たとえば、キャリアバ−供給手段３０は、単体コンデンサ２０付キャリアバ−１３を垂直方向に収納する上昇式多段棚ケ−スとされ、棚ケ−スが上昇し最上位の棚のキャリアバ−がガイドレ−ル上に供給されてキャリアバ−供給手段３０からスペ−サ溶接手段３４に順次送り込まれるように構成されている。もちろん、キャリアバ−供給手段３０の構成は一例であり、これに限定されない。
【００２４】
図４に示すように、スペ−サの切断手段３２は、リ−ル形状または短冊形状などの長尺体５０から所定長のスペ−サ５２（スペ−サ片）を上刃３２２、下刃３２４で切断するものである。
たとえば、上刃３２２を固定刃、下刃３２４を昇降する可動刃とし、長尺体５０の送りを所定長とし、長尺体の送りに同期して下刃３２４を上昇させれば、所定長のスペ−サ５２が長尺体から連続的に切り取られる。
【００２５】
スペ−サの溶接手段３４は、長尺体５０から切断されたスペ−サ５２を保持して間欠回転（間欠送り）される溶接用のロ−タリ−テ−ブル３４２と、スペ−サを電気溶接によって単体コンデンサ２０の陽極部材２２に固着する溶接電極３４４とを備えている（図４参照）。
ロ−タリ−テ−ブル３４２は、その回転軸Ｏ１を水平面に位置して立設され、間欠回転のピッチに対応する数の空気路３４２ａを端面に持ち、この空気路に作用する負圧によってスペ−サ５２を吸着、保持するように構成されている。図４からわかるように、空気路３４２ａの形成された端面を、スペ−サ切断手段３２の上刃３２２と略同一高さに設定すれば、スペ−サは切断直後にロ−タリ−テ−ブル３４２に吸着、保持される。間欠回転のピッチを２２．５°とすれば、１６個の空気路３４２ａが２２．５°づつ離反して、たとえば穿設加工によって形成されている。
【００２６】
ロ−タリ−テ−ブル３４２は、２枚以上の、たとえば３枚の円板３４２ｂ〜３４２ｄを重ねて構成され、中間の円板３４２ｃの端面に空気路３４２ａが形成されている。いずれかの円板、たとえば、円板３４２ｂを溶接電極から構成することにより、ロ−タリ−テ−ブル３４２は溶接電極を兼ねる。
【００２７】
溶接電極３４４は、ロ−タリ−テ−ブル３４２と同期して間欠回転する回転円板とされ、回転軸Ｏ２を水平面に位置し、端面を対向させてロ−タリ−テ−ブル３４２の上方に並置されている。そして、並置された回転円板状の溶接電極３４４とロ−タリ−テ−ブル３４２との間に、単体コンデンサ付キャリアバ−１３が送り込まれる。キャリアバ−１３のためのガイドレ−ル（図示しない）が図４のＺ軸方向（キャリアバ−１３の搬送路１４の方向）に伸び、キャリアバ−はガイドレ−ル上を搬送されている。ガイドレ−ル上でのキャリアバ−１３の搬送の障害とならないように、ロ−タリ−テ−ブル３４２、溶接電極３４４はいずれも昇降可能となっている。
【００２８】
ロ−タリ−テ−ブル３４２、回転円板状の溶接電極３４４を同期して間欠回転させるとともに、キャリアバ−１３上の単体コンデンサ２０に対してロ−タリ−テ−ブルを上昇させ、回転円板状の溶接電極を下降させてから、ロ−タリ−テ−ブル、回転円板状の溶接電極の間に高電流を流せば、ロ−タリ−テ−ブル上のスペ−サ５２が単体コンデンサの陽極部材２２に抵抗溶接によって固着される。
実施例では、ロ−タリ−テ−ブル３４２を２枚以上の部材を重ねて構成し、その一部（１枚の部材）を溶接電極として、ロ−タリ−テ−ブルが溶接電極を兼ねているため、独立部材としての溶接電極の数が減少し、溶接電極を兼ねたロ−タリ−テ−ブルが容易に得られる。また、ロ−タリ−テ−ブル３４２、溶接電極３４４を間欠的に回転するとともに昇降可能な構成としたため、キャリアバ−１３のガイドレ−ルとの接触を避けてスペ−サを効率よく溶接できる。さらに、ロ−タリ−テ−ブル３４２を構成する２枚以上の部材のうち、溶接電極でない部材に空気路を設けているため、溶接電極を兼ねながらスペ−サを吸着、保持するロ−タリ−テ−ブル３４２が容易に得られる。
【００２９】
溶接電極であるロ−タリ−テ−ブル３４２、溶接電極３４４を間欠回転させて電極部位を変えているため、局所的な磨耗が防止でき、溶接電極が交換なしで長期間連続して使用できる。さらに、ロ−タリ−テ−ブル３４２、回転円板状の溶接電極３４４を回転可能かつ昇降可能としたため、キャリアバ−１３のガイドレ−ルを昇降させる場合に比較してスペ−サの溶接手段３４の構成が簡単となる。実施例のように、回転と昇降を同時に行なえば、スペ−サの溶接が極めて短時間で行なえる。特に、ロ−タリ−テ−ブル３４２は、下刃３２４が上昇してスペ−サ５２を切断した直後に、上刃３２２と略同一面までロ−タリ−テ−ブル３４２を降下させているため、スペ−サの切断を妨げることなく、ロ−タリ−テ−ブルはスペ−サを迅速、確実に吸着、保持できる。
【００３０】
キャリアバ−１３が、ロ−タリ−テ−ブル３４２、溶接電極３４４の間欠回転と同期して、ガイドレ−ル上をＺ軸方向に間欠的に送られることにより、キャリアバ−１３上の一連の単体コンデンサ２０にスペ−サ５２が連続的に溶接、固着されることはいうまでもない。
【００３１】
スペ−サ５２が陽極部材２２の下面に溶接、固着された単体コンデンサ２０を保持してキャリアバ−１３は、スペ−サ溶接手段３４から接着剤の付着手段３６に送られ、図５（Ａ）に示すように、付着手段によって銀ペ−ストのような導電性の接着剤５４が陰極部材２９に供給、付着される。実施例では、キャリアバ−１３を反転して、スペ−サ５２と同一面で陰極部材２９に接着剤５４を付着させている。たとえば、付着手段３６は流路３６４を持つ昇降可能な円柱形状の注入部材３６６を有し、注入部材が陰極部材２９のすぐ上に降下したとき、所定量の接着剤５４が加圧されて流路３６４から流出して陰極部材２９に付着するように構成されている。
【００３２】
キャリアバ−１３を反転させず、図５（Ｂ）に示すように、スペ−サ５２と異なる面に接着剤５４を付着させてもよい。また、接着剤５４は粘着性に優れるから、接着剤の付着手段３６をキャリアバ−１３の下方に設けて陰極部材２９の下面に導電性の接着剤を付着させてもよい。しかし、接着剤５４の散布による汚れ防止の点から、陰極部材２９の上面に付着させることが好ましい。図５（Ｂ）に示すようにスペ−サ５２と異なる面に接着剤５４を付着すると、スペ−サ５２を上向きとした積層コンデンサ２１が成形される（図９（Ｈ）参照）。
【００３３】
陰極部材２９への接着剤５４の付着が繰り返されて、キャリアバ−１３上の一連の単体コンデンサに接着剤が付着されると、単体コンデンサ付キャリアバ−１３は接着剤の付着手段３６からコンデンサ切断手段３８に送られて、単体コンデンサがキャリアバ−から切断、分離される。なお、後述するように、コンデンサ切断手段３８において、単体コンデンサ２０の切断、分離のとき、陰極部材２９を上から保持するために、キャリアバ−１３を反転し、接着剤５４の付着面を下にしてからキャリアバ−はコンデンサ切断手段３８に送り込まれる。
【００３４】
実施例では、単体コンデンサの切断は、キャリアバ−１３から単体コンデンサ２０を切断する一次切断と、単体コンデンサを所定長に切断する二次切断とに分割され、切断手段３８は一次切断手段３８−１と二次切断手段３８−２とから構成されている（図１参照）。そして、一次切断手段３８−１はキャリアバ−の搬送路１４に沿って配置され、二次切断手段３８−２はキャリアバ−の搬送路から離反した位置に配置されている。
【００３５】
図６（Ａ）に示すように、一次切断手段は３８−１は、上刃３８２、下刃３８４を有してインデックステ−ブル１２のステ−ションＡに配置され、インデックステ−ブルはその回転軸Ｏ３を垂直面に位置させて水平に配置されている。ガイドレ−ル上でのキャリアバ−１３の搬送の障害とならないように、インデックステ−ブル１２、上刃３８２、下刃３８４はいずれも昇降可能となっている。
単体コンデンサ付キャリアバ−１３は、搬送路１４に沿ってガイドレ−ル上で上刃３８２、下刃３８４の間に送り込まれる。そして、上刃３８２、下刃３８４が昇降して、単体コンデンサの陽極部材２２を切断しキャリアバ−１３から分離する。
【００３６】
ここで、下刃３８４と対向した押え部材３８３が上刃３８２に隣接して配置されており、この押え部材は上刃３８２と一体に下降し、下刃３８４との間で陽極部材２２を挟持し、押え部材、下刃の間に陽極部材を挟持した直後に上刃、下刃によって陽極部材が切断される。
たとえば、上下方向のアリ溝を上刃３８２の側面に設けて押え部材３８３を上刃の側面で上下に僅かな距離だけスライド可能とし、圧縮コイルばねによって押え部材を突出させストッパに押し当てて押え部材の位置を規制する構成とすれば、下刃３８４との間で陽極部材を挟持して押力が作用すると、押え部材は圧縮コイルばねのばね力に抗して下刃との間に陽極部材を挟持する状態を維持し、切断後、上刃３８２は押え部材を伴って上昇する。
【００３７】
インデックステ−ブル１２は、スペ−サ溶接手段３４のロ−タリ−テ−ブル３４２とほぼ同様に、間欠回転のピッチに対応する数の空気路１２ａを端面に持ち、間欠回転されるとともに、上刃３８２、下刃３８４の昇降と同期して下降することにより、空気路に作用する負圧によって、切断直後の単体コンデンサ２０を吸着、保持する。
一次切断で単体コンデンサの陽極部材２２を切断しキャリアバ−１３から所定長より長い単体コンデンサ２０を分離してから、二次切断で単体コンデンサを所定長に切断する。
【００３８】
一次切断手段３８−１がキャリアバ−の搬送路１４に沿って配置されているのに対して、二次切断手段３８−２は、キャリアバ−の搬送路から離反した位置、実施例では図１に示すように、一次切断のためのステ−ションＡからインデックステ−ブル１２の回転方向に９０°離反したステ−ションＢに配置されている。
図６（Ｂ）に示すように、二次切断手段３８−２は、一次切断手段３８−１の上刃３８２、下刃３８４、押え部材３８３と同じ組合わせを有するとともに、さらに、位置決め部材３８８を有している。位置決め部材３８８は単体コンデンサ２０をその長手方向に押圧するように移動可能となっている。
【００３９】
インデックステ−ブル１２は、切断直後の単体コンデンサ２０を吸着、保持すると上昇して初期位置に戻り、再び間欠回転する。つまり、インデックステ−ブル１２は、間欠回転、下降（吸着、保持）、上昇を繰り返す。
【００４０】
ステ−ションＡでキャリアバ−１３から切断、分離した単体コンデンサ２０が、インデックステ−ブル１２の間欠回転によってステ−ションＢに至ると（図１参照）、図６（Ｂ）において、二次切断手段３８−２の位置決め部材３８８が右方に移動し、インデックステ−ブル１２の吸着力に抗して、単体コンデンサ２０を押圧して位置決めする。ここで、位置決め部材３８８の押圧によって単体コンデンサ２０の移動が許容されるように、インデックステ−ブル１２の吸着力が設定されている。
【００４１】
たとえば、位置決め部材３８８の動きはセンサで検出され、単体コンデンサ２０の所定長をＬ１としたとき、図６（Ｃ）に示すように、位置決め部材３８８が距離Ｌ２右方に移動して下刃３８４から距離Ｌ１の位置に至ると、センサが検知し、上刃３８２、下刃３８４を昇降させて陽極部材２２を切断すれば、所定長の単体コンデンサ２０が得られる。
【００４２】
単体コンデンサ２０の成形において、長さのばらつきは避けられず、さらに、キャリアバ−１３への単体コンデンサ２０の固着位置にもばらつきが生じる。その結果、キャリアバ−１３からの単体コンデンサ２０の突出長さのばらつきは避けられない。そのため、突出長さの一定しないキャリアバ−１３から単体コンデンサを所定の長さで切断することは容易でない。
搬送路１４に沿ってガイドレ−ル上を搬送されるキャリアバ−１３には、スペ−サの溶接、導電性接着剤の付着も行なわれており、単体コンデンサ２０の切断のために長時間を要してガイドレ−ル上でのキャリアバ−の搬送速度を遅らせれば、生産性が低下する。
【００４３】
しかし、実施例のように、切断を一次切断と二次切断とに分割し、搬送路１４に沿ったステ−ションＡで、単体コンデンサ２０を所定長以上に切断（一次切断）してキャリアバ−１３から分離し、それから、搬送路と離反したステ−ションＢで所定長に切断（二次切断）する構成では、搬送路上での切断（一次切断）に要する時間は、搬送路上で所定長に切断する場合に比較して、当然ながら短縮化される。そのため、ガイドレ−ル上でのキャリアバ−１３の搬送速度が、単体コンデンサ２０の切断のために遅れることはなく、高い生産性が維持できる。
また、位置決め部材３８８がインデックステ−ブル１２上の単体コンデンサ２０を押圧して位置決めする構成では、単体コンデンサの位置決めが、簡単な構成のもとで迅速に行なえる。そして、位置決め部材３８８の動きをセンサで検出し、位置決め部材が下刃３８４から一定の距離に至った時点で上刃３８２、下刃３８４を駆動させて単体コンデンサ２０を切断する構成では、単体コンデンサが所定長で正確に切断され、所定長の単体コンデンサが迅速、確実に得られる。
【００４４】
所定長に切断された単体コンデンサ２０は、インデックステ−ブル１２に吸着、保持されて次のステ−ションＣに搬送される。ステ−ションＣには、積み重ね手段４２が待機しており、積み重ね手段によって単体コンデンサが搬送路１６上のリ−ドフレ−ム１５に積み重ねられ、積層コンデンサ２１が成形される。
【００４５】
リ−ドフレ−ム１５の搬送路１６は、図１に示すように、インデックステ−ブル１２の接線方向に沿ってガイドバ−の搬送路１４と平行に伸びており、搬送路１６に沿って伸びるガイドレ−ル（図示しない）上をリ−ドフレ−ム１５は搬送路１６の右から左にリ−ドフレ−ムの供給手段４０から収納手段４８に送られている。なお、リ−ドフレ−ム１５の長手方向は搬送路１６と一致している。
【００４６】
たとえば、リ−ドフレ−ムの供給手段４０、収納手段４８は、多数のリ−ドフレ−ムを垂直方向に収納する上昇式多段棚ケ−スとされ、供給手段４０においては棚ケ−スが上昇して最上位の棚のリ−ドフレ−ムがガイドレ−ル上に順次供給され、収納手段４８においては棚ケ−スが最上位の棚にリ−ドフレ−ムを順次収納しながら上昇するように構成されている。もちろん、リ−ドフレ−ムの供給手段４０、収納手段４８の構成は一例であり、これに限定されない。
【００４７】
図７（Ａ）に示すように、積み重ね手段４２は、リ−ドフレ−ム１５の上下に配置された２つの円板状の溶接電極４２２、４２３を持ち、溶接電極は昇降可能および間欠回転可能とされ、インデックステ−ブル１２に同期して昇降および間欠回転する。
【００４８】
なお、実施例では、リ−ドフレ−ム１５の一面（上面）だけでなく、リ−ドフレ−ムを反転させて他の面（下面）にも単体コンデンサ２０を積み重ねることとし、そのために、ステ−ションＣに対向する積み重ねステ−ションＣ１の左右に反転ステ−ションＣ２、Ｃ３を設けている。
【００４９】
リ−ドフレ−ム１５が、搬送路１６に沿ってガイドレ−ル上を積み重ねステ−ションＣ１に搬送されて、たとえば、先端のリ−ド端子１５１（図２、図１０（Ａ）参照）が積み重ねステ−ションＣ１でインデックステ−ブル１２の下方の所定位置（インデックステ−ブル１２のステ−ションＣに対応する）に至ると、リ−ドフレ−ムの送りが停止される。
リ−ドフレ−ム１５の上には、インデックステ−ブル１２が単体コンデンサ２０を吸着、保持して待機しており、リ−ド端子１５１が単体コンデンサ２０の直下に至ると、インデックステ−ブル１２は下降して単体コンデンサをリ−ド端子１５１上に載せる。インデックステ−ブル１２の下降の直後に、インデックステ−ブルと同期して、上の溶接電極４２２が下降し、下の溶接電極４２３が上昇して、リ−ド端子１５１を介して上下の溶接電極４２２、４２３間にスペ−サ５２の固着された単体コンデンサの陽極部材２２を挟持する（図７（Ｂ）参照）。
【００５０】
そして、上下の溶接電極４２２、４２３間に溶接電源（図示しない）から高電流が流され、単体コンデンサのスペ−サ付陽極部材２２がリ−ド端子１５１に抵抗溶接されて固着される。ここで、インデックステ−ブル１２が下降し、単体コンデンサ２０をリ−ド端子１５１上に押し付けることにより、単体コンデンサの導電性接着剤５４がリ−ド端子に押圧され、陰極部材２９がリ−ド端子に固着される。
このように、スペ−サ５２付陽極部材２２が抵抗溶接によってリ−ド端子１５１に固着されるとともに、導電性接着剤５４がリ−ド端子に固着されることにより、単体コンデンサ２０がインデックステ−ブル１２からリ−ド端子に移される。
【００５１】
ここで、リ−ド端子１５１に単体コンデンサ２０を溶接し、積み重ねる時点のインデックステ−ブル１２の吸着面１２１が基準面Ｘとなり（図７（Ａ）（Ｂ）参照）、この基準面Ｘで常に積み重ねが行なわれる。そして、基準面Ｘに対する上の溶接電極４２２の位置（基準面Ｘからの距離ａ１）は一定とされる。これに対して、基準面Ｘに対するリ−ド端子１５１の位置（その距離は単体コンデンサの厚さｔに等しい）、下方溶接電極４２３の位置（距離ｂ１）は、２枚目以降の積み重ねのために、単体コンデンサの厚さｔ（図７（Ａ）参照）に相当分だけ下方に移される。つまり、後述するように、リ−ドフレ−ム１５（リ−ド端子１５１）、下方溶接電極４２３は、２枚目以降の積み重ねにおいては、厚さｔ相当分だけ下降し、下降した位置で２枚目以降の積み重ねが行なわれる。
【００５２】
最初の単体コンデンサ２０がリ−ド端子１５１上に移送されて、溶接、積み重ねられると、上下の溶接電極４２２、４２３が間欠回転しながら上昇または下降する。ここで、上の溶接電極４２２は、基準面Ｘからの距離ａ０離れたその初期位置に復帰する（図８（Ｃ）参照）。しかし、下の溶接電極４２３は初期位置から距離ｔ下降した位置、つまり基準面Ｘからの距離ｂ０＋ｔの位置に下降する。上下の溶接電極４２２、４２３に同期して、インデックステ−ブルも間欠回転しながら上昇してその初期位置に復帰する。回転と上昇または下降とを同時に行なわず、回転と昇降とを順次行なってもよい。しかし、同時に行なえば、リ−ド端子１５１への単体コンデンサ２０の移送が高速化される。
そして、ガイドレ−ルを距離ｔ下降させることにより、リ−ドフレ−ム１５（リ−ド端子１５１）も距離ｔ下降され、２枚目の単体コンデンサ２０−２の積み重ね直前においては、リ−ドフレ−ム１５（リ−ド端子１５１）、下の溶接電極４２３は、単体コンデンサの厚さｔ相当分だけ下方に移動して待機している。
【００５３】
図８（Ｃ）に示すように、インデックステ−ブル１２が間欠回転することによって、次の（２枚目の）単体コンデンサ２０−２がリ−ド端子１５１の単体コンデンサ２０−１の上に位置している。また、上下の溶接電極４２２、４２３も間欠回転することにより、新しい電極部位が対向して位置している。
【００５４】
それからインデックステ−ブル１２が下降して単体コンデンサ２０−２を基準面Ｘでリ−ド端子１５１上に載せ、上下の溶接電極４２２、４２３が上昇または下降してスペ−サ５２付陽極部材２２を挟持し、単体コンデンサ２０−１のスペ−サとともに、スペ−サ付陽極部材をリ−ド端子に抵抗溶接すれば、図８（Ｄ）に示すように、２枚目の単体コンデンサ２０−２は１枚目の単体コンデンサ２０−１を介してリ−ド端子１５１に溶接、固着される。
【００５５】
ここで、上の溶接電極４２２は、１枚目の単体コンデンサ２０−１の積み重ね時と同じ距離ａ１の位置に下降する。他方、下の溶接電極４２３は、１枚目の単体コンデンサ２０−１の積み重ね時の距離ｂ１に単体コンデンサの厚さｔを加えた距離の位置まで上昇している。このように、１枚目の積み重ねの場合に対して
、上下の溶接電極４２２、４２３の間隔はｔだけ増加して、この増加した間隔に厚さｔの単体コンデンサ２０が位置する。このように、リードフレーム１５（リード端子１５１）、下の溶接電極４２３の位置を調整することにより、１枚目の単体コンデンサ２０−１と２枚目の単体コンデンサ２０−２の電気溶接が常に同じ面（基準面Ｘ）、同じ条件でなされ、２枚目の単体コンデンサが１枚目の単体コンデンサの上に積み重ねられる。
【００５６】
このような動作を繰り返して、たとえば、４枚の単体コンデンサ２０−１〜２０−４がリ−ド端子１５１の一面（上面）に順次積み重ねられる（図９（Ｅ）参照）。ここで、３枚目の単体コンデンサ、４枚目の単体コンデンサの積み重ねにおいては、基準面Ｘからリ−ドフレ−ム１５（リ−ド端子１５１）は３ｔまたは４ｔ下降した位置に移され、下の溶接電極４２３も基準面Ｘからｂ１＋２ｔ、または、ｂ１＋３ｔ下降した位置で電気溶接することはいうまでもない。
【００５７】
実施例では、積み重ね時（溶接時）でのインデックステ−ブル１２、上の溶接電極４２２の位置を一定とし、リ−ドフレ−ム１５（リ−ド端子１５１）、下の溶接電極４２３の位置を変えることによって、積み重ねられる単体コンデンサの厚さｔに相当する距離を調整して同一の基準面Ｘ、同一条件での溶接、積み重ねを可能としている。しかし、積み重ねられる単体コンデンサの厚さに相当する距離を調整して、常に同一の基準面Ｘ、同一条件で溶接、積み重ねを行なえば足りる。つまり、インデックステ−ブル１２、上の溶接電極４２２の組合せと、リ−ドフレ−ム１５（リ−ド端子１５１）、下の溶接電極４２３の組合わせとの相対位置を変動させて、同一の基準面Ｘ、同一条件での溶接、積み重ねを確保すればよいから、たとえば、実施例とは逆に、リ−ドフレ−ム１５（リ−ド端子１５１）、下の溶接電極４２３の位置を一定とし、インデックステ−ブル１２、上の溶接電極４２２の位置を変えて、単体コンデンサの厚さに相当する距離を調整してもよい。
同一の基準面Ｘ、同一条件で溶接、積み重ねを行なっているため、単体コンデンサ２０に応力集中などの発生がなく、コンデンサ特性の低下を防止できる。また、積み重ね手段４２を構成的に複雑化することなく、溶接、積み重ねが効率的に行なえ、高い生産性が確保できる。
【００５８】
リ−ド端子１５１に所定数の単体コンデンサ２０が積み重ねられて積層コンデンサ２１が成形されると、リ−ドフレ−ム１５が図１０の矢視方向に間欠送りされて、次のリ−ド端子１５２が積み重ねステ−ションＣ１でインデックステ−ブル１２の下方の所定位置に送られる。
リ−ド端子１５２に対しても、図７（Ａ）（Ｂ）、図８（Ｃ）（Ｄ）で示すようなリ−ド端子１５１におけると同じ動作が繰り返され、４枚の単体コンデンサ２０−１〜２０−４がリ−ド端子１５２の一面（上面）に積み重ねられ、積層コンデンサ２１が成形される（図９（Ｅ）、図１０（Ｂ）参照）。
【００５９】
リ−ドフレ−ム１５の一面（上面）の全てのリ−ド端子１５１〜１５３０（図１１参照）について、４枚の単体コンデンサ２０−１〜２０−４が積載されてリ−ドフレ−ムの一面（上面）での積み重ね工程が終わると、搬送方向の反転ステ−ションＣ２にリ−ドフレ−ム１５（１５−１）が送られ、次のリ−ドフレ−ム１５（１５−２）が積み重ねステ−ションＣ１に送り込まれ、このリ−ドフレ−ム１５−２における最先のリ−ド端子１５１がインデックステ−ブル１２の下方の所定位置に至る。その一面に所定数（実施例では４枚）の単体フレ−ム２０を積み重ねて積層型コンデンサ２１を成形した先行するリ−ドフレ−ム１５（１５−１）と後続のリ−ドフレ−ム１５（１５−２）とインデックステ−ブル１２との位置関係を図１１に概略的に示す。
【００６０】
先行するリ−ドフレ−ム１５（１５−１）と同様にして、後続のリ−ドフレ−ム１５（１５−２）の一面（上面）に４枚の単体コンデンサ２０が積み重ねられる。そして、積み重ねステ−ションＣ１において、リ−ドフレ−ム１５（１５−２）の一面（上面）への積み重ねが行なわれている間に、リ−ドフレ−ム１５（１５−１）は反転ステ−ションＣ２において、たとえば回転軸Ｏ４の周りでＸ軸方向に（左右に）反転される。リ−ドフレ−ム１５（１５−１）の反転に要する時間は、リ−ドフレ−ム１５（１５−２）への単体コンデンサ２０の積み重ねに要する時間よりはるかに短いから、リ−ドフレ−ム１５（１５−２）への積み重ねが終了した時点では、リ−ドフレ−ム１５（１５−１）の反転は当然に終了しており、反転が積み重ねの障害とならない。
【００６１】
全てのリ−ド端子について、その一面（上面）に４枚の単体コンデンサ２０−１〜２０−４が積み重ねられてリ−ドフレ−ム１５（１５−２）の一面（上面）での積み重ね工程が終わると、リ−ドフレ−ム１５（１５−１、１５−２）は搬送路１６と逆方向に戻され、リ−ドフレ−ム１５（１５−１）は積み重ねステ−ションＣ１に、リ−ドフレ−ム１５（１５−２）は反転ステ−ションＣ３に送り込まれる（図１２参照）。
【００６２】
そして、リ−ドフレ−ム１５（１５−１）は積み重ねステ−ションＣ１において、他の面（従来の下面であり、反転により上面となった面）に、上記と同様にして４枚の単体コンデンサ２０が順次積み重ねられる。反転されているため、従来の後端のリ−ド端子１５３０（リ−ド端子が３０枚の場合）から単体コンデンサ２０が積み重ねられ、次に、隣接するリ−ド端子１５２９に単体コンデンサ２０が積み重ねられる。リ−ドフレ−ム１５（１５−１）の両面に、４枚ずつの単体コンデンサ２０を積み重ねて積層コンデンサ２１を成形した状態を図９（Ｆ）に示す。
リ−ドフレ−ム１５（１５−１）の他の面への単体コンデンサ２０の積層が行なわれている間に、リ−ドフレ−ム１５（１５−２）は反転ステ−ションＣ３で左右に反転される。
【００６３】
リ−ドフレ−ム１５（１５−１）の他の面に単体コンデンサ２０が積み重ねられると、リ−ドフレ−ム１５（１５−１、１５−２）は搬送路１６に沿って送られ、リ−ドフレ−ム１５（１５−１）は反転ステ−ションＣ２に、リ−ドフレ−ム１５（１５−２）は積み重ねステ−ションＣ１に送り込まれる。なお、リ−ドフレ−ム１５（１５−１）の他の面への単体コンデンサ２０の積み重ねが終了した時点では、リ−ドフレ−ム１５（１５−２）の反転は当然に終了している。
【００６４】
ここで、リ−ドフレ−ム１５（１５−１）の両面に所定数の単体コンデンサ２０が積み重ねられ、リ−ドフレ−ム１５（１５−１）への積み重ねが全て終了しているため、リ−ドフレ−ム１５（１５−１）は反転することなく反転ステ−ションＣ２で待機する。他方、リ−ドフレ−ム１５（１５−２）については、積み重ねステ−ションＣ１において、他の面（従来の下面であり、反転により上面となった面）に、上記と同様にして４枚の単体コンデンサ２０が順次積み重ねられて積層コンデンサ２１がリ−ドフレ−ム１５（１５−２）の他の面にも成形される。
【００６５】
リ−ドフレ−ム１５（１５−２）の他の面に単体コンデンサ２０が積み重ねられ、リ−ドフレ−ムの両面に所定数の単体コンデンサ２０が積み重ねられて積層コンデンサ２１が成形されると、リ−ドフレ−ム１５（１５−１、１５−２）は搬送路１６に沿って送られ、図１１において反転ステ−ションＣ３に位置した次のリ−ドフレ−ム１５（１５−３）が積み重ねステ−ションＣ１に送り込まれて、このリ−ドフレ−ムに単体コンデンサ２０が積み重ねられることはいうまでもない。
【００６６】
このように、反転ステ−ションＣ２、Ｃ３を積み重ねステ−ションＣ１の両側に設けているため、リ−ドフレ−ム１５の両面に単体コンデンサ２０を積み重ねて両面に積層コンデンサ２１を成形する場合でも、積み重ねステ−ションＣ１でのリ−ドフレ−ムの積み重ね中に反転ステ−ションＣ２、Ｃ３でリ−ドフレ−ムが余裕を持って反転でき、反転のために積み重ね工程を中断する必要がなく、リ−ドフレ−ムの両面への積層コンデンサ２１の成形が効率的に行なえる。つまり、２つのリ−ドフレ−ム１５を連続的に処理でき、高い生産性が確保される。
【００６７】
なお、実施例ではリ−ドフレ−ム１５の一面の最先のリ−ド端子１５１に４枚の単体コンデンサ２０を積み重ねてから次のリ−ド端子１５２に４枚の単体コンデンサを積み重ねる所定数一括積層方式を採用している。しかし、１枚目の単体コンデンサ２０（２０−１）をリ−ド端子１５１〜１５３０に積み重ねてから、２枚目の単体コンデンサ２０（２０−２）をリ−ド端子１５１〜１５３０に積み重ねる１枚目ずつの順次積層方式を採用してもよい。順次積層方式でのリ−ドフレ−ム１５の動きを図１３（Ａ）に示す。図１３（Ｂ）は図１３（Ａ）の線Ｂ−Ｂに沿った断面図を示す。
実施例では、４枚の単体コンデンサ２０を積み重ねて積層コンデンサ２１を成形しているが、積み重ねる単体コンデンサの数はＣＰＵのプログラム変更により任意に変更できることはいうまでもない。
【００６８】
スペ−サ５２を陽極部材２２の間に挟持しない場合においては、図９（Ｇ）からわかるように、陽極部材２２、陰極部材２９の段差は大きく、陽極部材の折り曲げ角度は極めて大きい。しかし、図９（Ｅ）（Ｆ）に示すように、スペ−サ５２を陽極部材２２の間に挟持すれば、陽極部材、陰極部材２９の段差をゼロとすることができ、陽極部材の折り曲げ角度が僅かなものとなり、陽極部材への応力集中が抑制できるから、コンデンサ特性の低下が極力防止できる。
【００６９】
両面に４枚の単体コンデンサ２０を積み重ねたリ−ドフレ−ム１５、つまり、積層コンデンサ２１を両面に持つリ−ドフレ−ムは搬送路１６に沿って次の整形手段４４に送られる（図１参照）。
【００７０】
スペ−サ５２を挟持する陽極部材２２は抵抗溶接によってリ−ドフレ−ム１５に固着されるのに対して、陰極部材２９は導電性の接着剤５４を介してリ−ドフレ−ムに固着されている。そして、接着剤５４は流動性を有するため、均一な層になり難く、また、溶接による固着に比較すれば、接着剤による固着は固着力が弱いから、スペ−サ５２付陽極部材２２に抵抗溶接を繰り返すと、図１４に示すように、陽極部材から遠い端で陰極部材２９が拡がり、積み重ねられた４枚の単体コンデンサ２０（積層型コンデンサ２１）の上下面が斜面となり、形状が崩れる傾向にある。
【００７１】
整形手段４４は、陰極部材２９の拡がりを防止し、積層コンデンサ２１の形状を整形して型崩れを修正するものであり、図１４に示すように、昇降する上下の押圧部材４４２、４４４を有して構成されている。押圧部材４４２、４４４は陰極部材２９を挟持して押圧可能な形状とされ、上の押圧部材４４２が降下するとともに、下の押圧部材４４４が上昇してリ−ドフレ−ム１５の上下で陰極部材を挟持、押圧して積層コンデンサ２１の上下面を平行として型崩れを修正する。また、積層コンデンサ２１の厚さを均一化する。
【００７２】
整形された積層コンデンサ２１を保持してリ−ドフレ−ム１５は搬送路１６に沿って不良品排出手段４６に送られる（図１参照）。
不良品排出手段４６は、溶接不良の積層コンデンサ２１をリ−ドフレ−ム１５から分離、排出するために設けられている。つまり、積み重ね手段４２において電極部材４２２、４２４に高電流を供給する溶接電源に生じた溶接時の異常をＣＰＵが検出し、異常を生じた溶接を不良と判定する。具体的には、ＣＰＵはどのリ−ドフレ−ムのどのリ−ド端子の溶接時に溶接電源に異常電流が流れたかを記憶する。
【００７３】
不良品排出手段４６は、上刃、下刃の組合わせを持ち、どのリ−ドフレ−ムのどのリ−ド端子の溶接時に溶接電源に異常電流が流れたかというＣＰＵの記憶に基づいて、上刃、下刃を同時に昇降させて、不良と判定されたリ−ド端子をリ−ドフレ−ム１５から切断し、リ−ド端子とともに積層コンデンサ２１を排除する。
【００７４】
溶接不良の積層コンデンサ２１の排除されたリ−ドフレ−ム１５は、搬送路１６の最後に位置するリ−ドフレ−ム収納手段に４８に収納される。そして、積層コンデンサ２１はリ−ドフレ−ム１５に保持された状態でリ−ドフレ−ム収納手段４８から次工程に搬送される。リ−ドフレ−ム収納手段に４８は、上述したように、多数のリ−ドフレ−ムを垂直方向に収納する上昇式多段棚ケ−スからなり、棚ケ−スが搬送路１６のリ−ドフレ−ムを最上位の棚に順次収納しながら上昇するように構成されている。
【００７５】
キャリアバ−の搬送路１４とリ−ドフレ−ムの搬送路１６とがインデックステ−ブル１２の接線方向に設けられ、かつ、インデックステ−ブルを挟んで平行に設けた構成では、コンデンサ製造装置１０が縦長形状とならざるを得ないとはいえ、コンパクトにまとめられ、小型化できる。
【００７６】
上述した実施例は、この発明を説明するためのものであり、この発明を何ら限定するものでなく、この発明の技術範囲内で変形、改造などの施されたものも全てこの発明に包含されることはいうまでもない。
実施例ではインデックステーブル１２が昇降するものとしているが、インデックステーブルに吸着アームを設け、この吸着アームが単体コンデンサ２０を吸着、保持して昇降する構成としてもよく、インデックステーブル１２の昇降は、インデックステーブル１２の本体を昇降させずに、吸着アームを昇降させる場合も含むものとする。
【００７７】
【発明の効果】
上記のように、この発明では、請求項１、２に記載のように、インデックステ−ブルがキャリアバ−から切断された単体の固体電解コンデンサを吸着、保持し、スペ−サを介して陽極部材をリ−ドフレ−ムに電気溶接することにより、インデックステ−ブル上の単体の固体電解コンデンサをリ−ドフレ−ムに積み重ね、インデックステ−ブルの間欠送りのもとで、インデックステ−ブルからリ−ドフレ−ムへの単体の固体電解コンデンサの溶接、積み重ねを同一基準面、同一条件で繰り返して、積層型固体電解コンデンサをリ−ドフレ−ム上に成形している。このように、インデックステ−ブルの間欠送りに同期して単体の固体電解コンデンサをリ−ドフレ−ムに溶接、積み重ねているため、積層型固体電解コンデンサが迅速に成形できる。また、単体の固体電解コンデンサの溶接、積み重ねを同一基準面、同一条件で繰り返しているため、単体コンデンサに応力集中などの発生がなく、コンデンサ特性の低下を防止できるとともに、溶接、積み重ねが効率的に行なえ、高い生産性が確保できる。もちろん、スペ−サを介して単体の固体電解コンデンサをリ−ドフレ−ムに固着しているため、陽極部材、陰極部材の厚さの違いによる段差がなくなり、陽極部材の折り曲げが抑えられるから、この点からも、コンデンサ特性の低下が防止できる。
【００７８】
請求項３に記載のように、一対の溶接電極、インデックステ−ブル、リ−ドフレ−ムのためのガイドレ−ルの相対位置を、積み重ねられる単体コンデンサの数に応じて調整することにより、同一基準面、同一条件での溶接、積み重ねが容易に確保される。
【００７９】
請求項４に記載のように、キャリアバ−の搬送路とリ−ドフレ−ムの搬送路とを、インデックステ−ブルの接線方向でインデックステ−ブルを挟んで平行に設ければ、作業スペ−スが限定され、無駄な動きをしないで効率的に作業ができる。
【００８０】
請求項５に記載のように、整形工程を設けて、積層型固体電解コンデンサを押圧して整形すれば、積層コンデンサの型崩れを修正できるとともに、積層コンデンサの厚さを均一化できる。
【００８１】
請求項６に記載のように、不良品排除工程を設けて、電気溶接の異常情報に基づいて不良の積層型固体電解コンデンサを予め排除すれば、次工程において良品についてのみ必要な作業が施されるから、無駄な作業が排除され、次工程の作業が効率的に行なえる。
【００８２】
請求項７記載のように、リ−ドフレ−ムの反転位置を単体の固体電解コンデンサの積み重ね位置の両側に設ければ、積み重ねを中断することなく反転でき、２つのリ−ドフレ−ムを連続的に処理でき、高い生産性が確保される。
【００８３】
請求項８に記載のように、キャリアバ−からの単体の固体電解コンデンサの切断を、所定長より長く切断する一次切断と所定長に切断する二次切断とに分割し、一次切断のみをキャリアバ−の搬送路に沿った位置で行なえば、搬送路上での切断（一次切断）に要する時間が短縮化されるから、単体コンデンサの切断を理由としてキャリアバ−の搬送速度が遅くなることはなく、高速で維持されるため、高い生産性が維持できる。
【００８４】
請求項９に記載のように、位置決め手段によって単体の固体電解コンデンサを位置決めしてから二次切断を行なえば、単体コンデンサを所定長で正確に切断でき、所定長の単体コンデンサが迅速、確実に得られる。
【００８５】
この発明によれば、請求項１０に記載のように、インデックステ−ブルがキャリアバ−から切断された単体の固体電解コンデンサを吸着、保持し、積み重ね手段によって、スペ−サを介して陽極部材をリ−ドフレ−ムに電気溶接することにより、インデックステ−ブル上の単体の固体電解コンデンサをリ−ドフレ−ムに積み重ね、インデックステ−ブルの間欠送りのもとで、インデックステ−ブルからリ−ドフレ−ムへの単体の固体電解コンデンサの溶接、積み重ねを同一基準面、同一条件で繰り返して、積層型固体電解コンデンサをリ−ドフレ−ム上に成形している。
このように、インデックステ−ブルの間欠送りに同期して単体の固体電解コンデンサをリ−ドフレ−ムに溶接、積み重ねているため、積層型固体電解コンデンサが迅速に成形できる。また、単体の固体電解コンデンサの溶接、積み重ねを同一基準面、同一条件で繰り返しているため、単体コンデンサに応力集中などの発生がなく、コンデンサ特性の低下を防止できるとともに、積み重ね手段を構成的に複雑化することなく、溶接、積み重ねが効率的に行なえ、高い生産性が確保できる。もちろん、スペ−サを介して単体の固体電解コンデンサをリ−ドフレ−ムに固着しているため、陽極部材、陰極部材の厚さの違いによる段差がなくなり、陽極部材の折り曲げが抑えられるから、この点からも、コンデンサ特性の低下が防止できる。
【００８６】
請求項１１に記載のように、一対の溶接電極、インデックステ−ブル、リ−ドフレ−ムのためのガイドレ−ルの相対位置を、積み重ねられる単体コンデンサの数に応じて調整することにより、同一基準面、同一条件での溶接、積み重ねが、積み重ね手段を構成的に複雑化することなく、容易に確保される。
【００８７】
請求項１２に記載のように、キャリアバ−の搬送路とリ−ドフレ−ムの搬送路とをインデックステ−ブルの接線方向でインデックステ−ブルを挟んで平行に設ければ、作業スペ−スが限定され、無駄な動きをしないで効率的に作業できるコンデンサ製造装置が得られる。
【００８８】
請求項１３に記載のように、整形手段を設けて、積層型固体電解コンデンサを押圧して整形すれば、積層コンデンサの型崩れを修正できるとともに、積層コンデンサの厚さを均一化できる。
【００８９】
請求項１４に記載のように、不良品排除手段を設けて、電気溶接の異常情報に基づいて不良の積層型固体電解コンデンサを予め排除すれば、次工程において良品についてのみ必要な作業が施されるから、無駄な作業が排除され、次工程の作業が効率的に行なえる。
【００９０】
請求項１５記載のように、リ−ドフレ−ムの反転位置を単体の固体電解コンデンサの積み重ね位置の両側に設ければ、積み重ねを中断することなく反転でき、２つのリ−ドフレ−ムを連続的に処理でき、高い生産性が確保される。
【００９１】
請求項１６に記載のように、キャリアバ−からの単体の固体電解コンデンサの切断手段を、所定長より長く切断する一次切断手段と所定長に切断する二次切断手段とに分割し、一次切断手段のみをキャリアバ−の搬送路に沿った位置に設ければ、搬送路上での切断（一次切断）に要する時間が短縮化されるから、単体コンデンサの切断を理由としてキャリアバ−の搬送速度が遅くなることはなく、高速で維持されるため、高い生産性が維持できる。
【００９２】
請求項１７に記載のように、二次切断手段が位置決め手段を持ち、この位置決め手段によって単体の固体電解コンデンサを位置決めしてから二次切断を行なえば、単体コンデンサを所定長で正確に切断でき、所定長の単体コンデンサが迅速、確実に得られる。
【００９３】
請求項１８に記載のように、スペーサを保持し、スペーサを間欠回転のもとで搬送する搬送手段が、溶接電極を兼ね、負圧でスペーサを吸着し保持するロータリーテーブルからなり、溶接電極を兼ねるロータリーテーブルと他の溶接電極との間で、単体の固体電解コンデンサの陽極部材に、ロータリーテーブル上のスペーサを電気溶接すれば、独立部材としての溶接電極の数が減少し、スペーサを単体コンデンサの陽極部材に効率よく溶接できる。
【００９４】
請求項１９に記載のように、ロータリーテーブル、他の溶接電極を同期回転させるとともに、ロータリーテーブル、他の溶接電極の昇降のもとでスペーサを電気溶接すれば、スペーサを単体コンデンサの陽極部材に効率よく溶接できる。また、ロータリーテーブル、他の溶接電極を間欠回転させて電極部位を変えているため、電極の局部的な消耗が防止でき、電極を長期間連続して使用できる。
【００９５】
請求項２０に記載のように、スペーサを負圧で吸着、保持して間欠回転のもとで搬送するロータリーテーブルが溶接電極を兼ね、ロータリーテーブル、他の溶接電極を同期回転させるとともに、ロータリーテーブル、他の溶接電極の昇降のもとでスペーサを電気溶接すれば、ロータリーテーブルが溶接電極を兼ねているため、独立した部材としての溶接電極が減少し、スペーサを単体コンデンサの陽極部材に効率よく溶接できる。また、ロータリーテーブル、他の溶接電極の間欠回転、昇降のもとでスペーサを電気溶接しているため、キャリアバーのガイドレールとの接触を避けてスペーサを効率よく溶接できる。さらに、ロータリーテーブル、他の溶接電極を間欠回転させて電極部位を変えているため、電極の局部的な消耗が防止でき、電極を長期間連続して使用できる。
【００９６】
請求項２１に記載のように、スペーサを負圧で吸着、保持して間欠回転のもとで搬送するロータリーテーブルが溶接電極を兼ね、ロータリーテーブル、他の溶接電極を同期回転させるとともに、ロータリーテーブル、他の溶接電極の昇降のもとでスペーサを電気溶接すれば、ロータリーテーブルが溶接電極を兼ねているため、独立した部材としての溶接電極が減少し、簡単な構成のスペーサ溶接機によって、スペーサを単体コンデンサの陽極部材に効率よく溶接できる。また、ロータリーテーブル、他の溶接電極の間欠回転、昇降のもとでスペーサを電気溶接しているため、キャリアバーのガイドレールとの接触を避けてスペーサを効率よく溶接できる。さらに、ロータリーテーブル、他の溶接電極を間欠回転させて電極部位を変えているため、電極の局部的な消耗が防止でき、電極を長期間連続して使用できる。
【００９７】
請求項２２に記載のように、ロ−タリ−テ−ブルを２枚以上の部材を重ね、その１枚の部材を溶接電極とすれば、溶接電極を兼ねるロ−タリ−テ−ブルが容易に得られる。
【００９８】
請求項２３に記載のように、ロ−タリ−テ−ブルを２枚以上の部材を重ねて構成し、その１枚の部材を溶接電極とし、他の部材に空気路を設ければ、溶接電極を兼ね、スペ−サを吸着、保持するロ−タリ−テ−ブルが容易に得られる。
【図面の簡単な説明】
【図１】この発明の積層型固体電解コンデンサ（積層コンデンサ）の製造装置を示す概略図である。
【図２】（Ａ）は単体コンデンサを保持するキャリアバーの平面図、（Ｂ）は積層コンデンサを保持するリードフレームの平面図である。
【図３】キャリアバーに保持された単体の積層型固体電解コンデンサ（単体コンデンサ）の縦断面図である。
【図４】スペーサ切断手段によるスペーサの切断およびスペーサ溶接手段によるスペーサの溶接を示す図である。
【図５】（Ａ）（Ｂ）は導電性接着剤の付着手段による導電性接着剤の付着を示す図である。
【図６】（Ａ）（Ｂ）（Ｃ）はコンデンサ切断手段によるキャリアバーからの単体コンデンサの切断を示す図である。
【図７】（Ａ）（Ｂ）はコンデンサ積み重ね手段によるリードフレームへの単体コンデンサの積み重ねを示す図である。
【図８】（Ｃ）（Ｄ）はコンデンサ積み重ね手段によるリードフレームへの単体コンデンサの積み重ねを示す図である。
【図９】（Ｅ）（Ｆ）はリードフレームの片面または両面に単体コンデンサを積み重ねて積層コンデンサを成形した図、（Ｇ）は、スペーサを介在することなくリードフレームの両面に積層コンデンサを成形した図、（Ｈ）はスペーサと導電性接着剤とを異なる面に設けた場合に成形される積層コンデンサの図である。
【図１０】（Ａ）はリードフレームのリード端子に４枚の単体コンデンサを積み重ねた所定数一括積層方式でのリードフレームの一部破断の平面図、（Ｂ）は（Ａ）の線ＢーＢに沿ったリードフレームの一部破断の横断面図である。
【図１１】リードフレームの搬送路における積み重ねステーションと反転ステーションとを示す図である。
【図１２】リードフレームの搬送路における積み重ねステーションと反転ステーションとを示す図である。
【図１３】（Ａ）はリードフレームのリード端子に単体コンデンサを１枚ずつ繰り返し積み重ねる順次積層方式でのリードフレームの一部破断の平面図、（Ｂ）は（Ａ）の線ＢーＢに沿ったリードフレームの一部破断の横断面図である。
【図１４】整形手段による積層コンデンサの整形を示す図である。
【符号の説明】
１０ 積層型固体電解コンデンサの製造装置
１２ インデックステーブル（ロータリーテーブル）
１３ キャリアバー
１４ キャリアバーの搬送路
１５ リードフレーム
１６ リードフレームの搬送路
２０ 単体コンデンサ（単体の固体電解コンデンサ）
２１ 積層コンデンサ（積層型固体電解コンデンサ）
２２ 単体コンデンサの陽極部材
２９ 単体コンデンサの陰極部材
３０ キャリアバーの供給手段
３２ スペーサの切断手段
３４ スペーサの溶接手段（スペーサ溶接機）
３６ 導電性接着剤の付着手段
３８ コンデンサの切断手段
３９ キャリアバーの格納手段
４０ リードフレームの供給手段
４２ コンデンサの積み重ね手段
４４ 積層コンデンサの整形手段
４６ 積層コンデンサの不良品排出手段成形体
４８ リードフレームの格納手段
５２ スペーサ
５４ 導電性接着剤
【図１】
0004270539.tif 000002
【図２】
0004270539.tif 000003
【図３】
0004270539.tif 000004
【図４】
0004270539.tif 000005
【図５】
0004270539.tif 000006
【図６】
0004270539.tif 000007
【図７】
0004270539.tif 000008
【図８】
0004270539.tif 000009
【図９】
0004270539.tif 000010
【図１０】
0004270539.tif 000011
【図１１】
0004270539.tif 000012
【図１２】
0004270539.tif 000013
【図１３】
0004270539.tif 000014
【図１４】
0004270539.tif 000015